(57)【要約】  絞り操作リングを主系列に対応する第１回転位置に合わせた場合と副系列に対応する第２回転位置に合わせた場合とで、明確なクリック感の差異が得られるとともに、第１及び第２回転位置におけるホールド性を向上させることが可能なレンズ鏡筒及び撮影装置を提供する。  レンズ鏡筒（１２）は、撮影光学系（２２）、絞り操作リング（２４）、及びクリックストップ機構（２７，２８）を備える。クリックストップ機構（２７）は、第１球体（６０）、第１嵌合部（６１）、第１付勢部材（６２）で構成される。クリックストップ機構（２８）は、第２球体（６５）、第２嵌合部（６６）、第２付勢部材（６７）で構成される。第１球体（６０）は、絞り操作リング（２４）が、主系列に対応する位置に設定された場合に、第１嵌合部（６１）に嵌合する。第２球体（６５）は、絞り操作リング（２４）が、副系列に対応する位置に設定された場合に、第２嵌合部（６６）に嵌合する。
2017047592.tif 000002
【特許請求の範囲】
【請求項１】
絞りを収納するレンズ鏡筒本体と、
前記レンズ鏡筒本体に対して回転可能に取り付けられ、前記絞りのＡＶ値が所定の整数値となる複数の第１回転位置と、前記ＡＶ値が所定の分数値となる複数の第２回転位置とに設定可能である絞り操作リングと、
前記レンズ鏡筒本体と前記絞り操作リングとの間に設けられ、前記絞り操作リングの周方向において互いに異なる位置に配された第１及び第２球体と、
前記レンズ鏡筒本体及び前記絞り操作リングの一方に前記各第１回転位置に対応して形成され、前記絞り操作リングが前記各第１回転位置に設定された場合に、前記第１球体が嵌合する第１嵌合部と、
前記レンズ鏡筒本体及び前記絞り操作リングの一方に前記各第２回転位置に対応して形成され、前記絞り操作リングが前記各第２回転位置に設定された場合に、前記第２球体が嵌合する第２嵌合部と、
を備えるレンズ鏡筒。
【請求項２】
前記第１及び第２嵌合部は、前記絞り操作リングの周方向における寸法よりも径方向における寸法のほうが大きい請求項１記載のレンズ鏡筒。
【請求項３】
前記第１嵌合部に対する前記第１球体の嵌合量は、前記第２嵌合部に対する前記第２球体の嵌合量よりも大きい請求項１または２記載のレンズ鏡筒。
【請求項４】
前記絞り操作リングの周方向において、前記第１嵌合部の寸法が、前記第２嵌合部の寸法よりも大きい請求項３記載のレンズ鏡筒。
【請求項５】
前記第１及び第２嵌合部の形状は、長方形である請求項１ないし４いずれか１項記載のレンズ鏡筒。
【請求項６】
前記第１球体の外径は、前記第２球体の外径よりも大きい請求項４または５記載のレンズ鏡筒。
【請求項７】
前記レンズ鏡筒本体及び前記絞り操作リングの他方に設けられ、前記第１及び第２球体をそれぞれ前記第１及び第２嵌合部側へ付勢する第１及び第２付勢部材を備え、
前記第１付勢部材の付勢力は、前記第２付勢部材の付勢力よりも大きい請求項６記載のレンズ鏡筒。
【請求項８】
前記絞り操作リングは、前記レンズ鏡筒本体の筒心軸と直交する第１面を有し、
前記レンズ鏡筒本体は、前記筒心軸と直交し、前記第１面と対向する第２面を有し、
前記第１及び第２球体は、前記第１面と前記第２面との間に配置されており、
前記第１及び第２嵌合部は、前記第１及び第２面のいずれか一方に形成されている請求項１ないし７いずれか１項記載のレンズ鏡筒。
【請求項９】
前記絞り操作リングは、内周面である第１面を有し、
前記レンズ鏡筒本体は、外周面であり、前記第１面と対向する第２面とを備え、
前記第１及び第２球体は、前記第１面と前記第２面との間に配置されており、
前記第１及び第２嵌合部は、前記第１及び第２面のいずれか一方に形成されている請求項１ないし７いずれか１項記載のレンズ鏡筒。
【請求項１０】
前記絞り操作リングは、前記絞りの自動制御を行う自動露出モードに対応する第３回転位置に設定可能であり、
前記レンズ鏡筒本体及び前記絞り操作リングの一方に形成され、前記絞り操作リングが前記第３回転位置に設定された場合に、前記第１球体が嵌合する第３嵌合部と、
前記レンズ鏡筒本体及び前記絞り操作リングの一方に形成され、前記絞り操作リングが前記第３回転位置に設定された場合に、前記第２球体が嵌合する第４嵌合部とを備える請求項１ないし９いずれか１項記載のレンズ鏡筒。
【請求項１１】
請求項１ないし１０いずれか１項記載のレンズ鏡筒を有する撮影装置。
【発明の詳細な説明】
【技術分野】
【０００１】
本発明は、可変絞りを有するレンズ鏡筒及び撮影装置に関するものである。
【背景技術】
【０００２】
上級者向けの一眼レフタイプなどのカメラは、ユーザーが手動で絞り調節を可能とするマニュアル絞り調節機能を有する。このマニュアル絞り調節機能を有するカメラでは、例えば、ユーザーにより操作される操作リングを備え、操作リングの回転位置に応じて絞りを選択可能とする。【０００３】
特許文献１には、各絞り値に応じて操作リングをクリックストップさせるクリックストップ機構を備えたカメラが開示されている。このクリックストップ機構は、複数の嵌合部と、球体と、付勢部材とで構成されている。複数の嵌合部は、操作リングの内周面に形成され、各絞り値に対応する。球体は、操作リングとレンズ鏡筒本体との間に設けられている。付勢部材は、球体を操作リングの嵌合部側へ付勢する。これにより、操作リングが回転されると、各絞り値に対応する位置で、球体が嵌合部に嵌合する。ユーザーは、球体が嵌合部に嵌合するときに、操作リングを介して振動を感じ取る。以下、このユーザーが感じ取る振動をクリック感と呼ぶ。ユーザーは、クリック感を通じて、操作リングが所定の絞り値に対応する位置に設定されたことを認識することができる。【０００４】
従来、カメラで使用される絞り値には、ＡＶ値が所定の整数値となる絞り値が使用されることが多い。ＡＶ値が整数の絞り値の系列は、主系列と呼ばれる。より細かく絞り値を設定するために、ＡＶ値が所定の分数値となる絞り値の系列である副系列も使用されている。この副系列には、例えば、ＡＶ値がｎ／３（ｎは３の倍数を除く正の整数）となる系列や、ＡＶ値がｎ／２（ｎは２の倍数を除く正の整数）となる系列がある。
【先行技術文献】
【特許文献】
【０００５】
【特許文献１】実開昭５７−７０７号公報
【発明の概要】
【発明が解決しようとする課題】
【０００６】
上記特許文献１に記載されたカメラでは、操作リングが主系列の絞り値に対応する位置に合わせられた場合のみ、クリック感が得られ、副系列については考慮されていない。近年のカメラのように、操作リングを、主系列の絞り値に対応する回転位置（以下、第１回転位置という）の他に、副系列の絞り値に対応する回転位置（以下、第２回転位置という）に設定可能なカメラでは、ユーザーが操作リングの操作時にクリック感のみで第１回転位置と第２回転位置との差異を識別可能なように、第１回転位置と第２回転位置とで異なるクリック感が得られることが望まれる。【０００７】
第１回転位置と第２回転位置とで異なるクリック感を発生させるためには、球体が嵌合する嵌合部のサイズを、主系列と副系列とで異ならせることが考えられる。具体的には、第２回転位置に対応する嵌合部（以下、第２嵌合部という）のサイズ（例えば、操作リングの移動方向に関する幅）を、第１回転位置に対応する嵌合部（以下、第１嵌合部という）のサイズより狭くし、第２回転位置におけるクリック感を、第１回転位置におけるクリック感より低下させることが考えられる。【０００８】
しかしながら、第２嵌合部のサイズを小さくすると、第２回転位置では、第１回転位置よりクリック感が低下するが、球体中の第２嵌合部へ嵌合する部分の割合が小さくなることにより、球体が第２嵌合部から脱しやすくなる。すなわち、第２嵌合部のサイズを小さくすると、第２回転位置ではクリック感が低下するとともに、球体の第２嵌合部へのホールド性が低下し、操作リングに加わる小さな力量で球体が第２嵌合部から脱してしまう。【０００９】
本発明は、絞り操作リングを主系列に対応する第１回転位置に合わせた場合と副系列に対応する第２回転位置に合わせた場合とで、明確なクリック感の差異が得られるとともに、第１及び第２回転位置におけるホールド性を向上させることが可能なレンズ鏡筒及び撮影装置を提供することを目的とする。
【課題を解決するための手段】
【００１０】
本発明のレンズ鏡筒は、レンズ鏡筒本体と、絞り操作リングと、第１及び第２球体と、第１嵌合部と、第２嵌合部とを備える。レンズ鏡筒本体は、絞りを収納する。絞り操作リングは、レンズ鏡筒本体に対して回転可能に取り付けられ、絞りのＡＶ値が所定の整数値となる複数の第１回転位置と、ＡＶ値が所定の分数値となる複数の第２回転位置とに設定可能である。第１及び第２球体は、レンズ鏡筒本体と絞り操作リングとの間に設けられ、絞り操作リングの周方向において互いに異なる位置に配されている。第１嵌合部は、レンズ鏡筒本体及び絞り操作リングの一方に各第１回転位置に対応して形成され、絞り操作リングが各第１回転位置に設定された場合に、第１球体が嵌合する。第２嵌合部は、レンズ鏡筒本体及び絞り操作リングの一方に各第２回転位置に対応して形成され、絞り操作リングが各第２回転位置に設定された場合に、第２球体が嵌合する。【００１１】
第１及び第２嵌合部は、絞り操作リングの周方向における寸法よりも径方向における寸法のほうが大きいことが好ましい。第１嵌合部に対する第１球体の嵌合量は、第２嵌合部に対する第２球体の嵌合量よりも大きいことが好ましい。【００１２】
絞り操作リングの周方向において、第１嵌合部の寸法が、第２嵌合部の寸法よりも大きいことが好ましい。第１及び第２嵌合部の形状は、長方形であることが好ましい。第１球体の外径は、第２球体の外径よりも大きいことが好ましい。【００１３】
レンズ鏡筒本体及び絞り操作リングの他方に設けられ、第１及び第２球体をそれぞれ第１及び第２嵌合部側へ付勢する第１及び第２付勢部材を備え、第１付勢部材の付勢力は、第２付勢部材の付勢力よりも大きいことが好ましい。【００１４】
絞り操作リングは、レンズ鏡筒本体の筒心軸と直交する第１面を有し、レンズ鏡筒本体は、筒心軸と直交し、第１面と対向する第２面を有し、第１及び第２球体は、第１面と第２面との間に配置されており、第１及び第２嵌合部は、第１及び第２面のいずれか一方に形成されていることが好ましい。【００１５】
絞り操作リングは、内周面である第１面を有し、レンズ鏡筒本体は、外周面であり、第１面と対向する第２面とを備え、第１及び第２球体は、第１面と第２面との間に配置されており、第１及び第２嵌合部は、第１及び第２面のいずれか一方に形成されていることが好ましい。【００１６】
絞り操作リングは、絞りの自動制御を行う自動露出モードに対応する第３回転位置に設定可能であり、レンズ鏡筒本体及び絞り操作リングの一方に形成され、絞り操作リングが第３回転位置に設定された場合に、第１球体が嵌合する第３嵌合部と、レンズ鏡筒本体及び絞り操作リングの一方に形成され、絞り操作リングが第３回転位置に設定された場合に、第２球体が嵌合する第４嵌合部とを備えることが好ましい。【００１７】
本発明の撮影装置は、レンズ鏡筒を有する。
【発明の効果】
【００１８】
本発明によれば、絞り操作リングを主系列に対応する第１回転位置に合わせた場合と副系列に対応する第２回転位置に合わせた場合とで、明確なクリック感の差異が得られるとともに、第１及び第２回転位置におけるホールド性を向上させることができる。
【図面の簡単な説明】
【００１９】
【図１】レンズ交換式デジタルカメラの正面側外観斜視図である。
【図２】レンズ鏡筒及びカメラ本体の外観斜視図である。
【図３】レンズ鏡筒の要部断面図である。
【図４】レンズ交換式デジタルカメラの構成を示すブロック図である。
【図５】主系列と副系列の絞り値を説明する説明図である。
【図６】レンズ鏡筒本体の分解斜視図である。
【図７】絞り操作リング及び第１及び第２球体の斜視図である。
【図８】先端側から見た絞り操作リングの正面図である。
【図９】第１嵌合部に第１球体を嵌合させた場合の要部断面図である。
【図１０】第２嵌合部に第２球体を嵌合させた場合の要部断面図である。
【図１１】絞り操作リングの内周面に第１及び第２嵌合部を形成した変形例を示す要部断面図である。
【発明を実施するための形態】
【００２０】
図１及び図２において、レンズ交換式デジタルカメラ（以下、カメラと称する）１０は、カメラ本体１１と、レンズ鏡筒１２とを備える。レンズ鏡筒１２は、カメラ本体１１に着脱自在に接続される。カメラ１０は、いわゆるミラーレス一眼タイプのデジタルカメラである。
【００２１】
カメラ本体１１は、その上面に電源レバー１３、レリーズスイッチ１４、露出補正ダイヤル１５、シャッタスピードダイヤル１６などを備える。レリーズスイッチ１４は、いわゆる「半押し」と「全押し」とを可能とする２段ストローク式のスイッチである。レリーズスイッチ１４は、半押しされることによってＳ１オンの信号を出力し、半押しから更に押し込む全押しが行われることによってＳ２オンの信号を出力する。カメラ１０は、レリーズスイッチ１４からＳ１オン信号が出力されると自動焦点調節（ＡＦ（Auto Focus）処理）や自動露出制御などの撮影準備処理を実行し、Ｓ２オン信号が出力されると撮影処理を実行する。
【００２２】
カメラ本体１１の前面には、レンズ鏡筒１２が取り付けられるマウント１７と、光学ファインダ窓１８とが設けられている。マウント１７の内部には、レンズ鏡筒１２と電気的に接続するためのボディ側信号接点１９と、固体撮像素子２０とが設けられている。また、カメラ本体１１の背面には、画像表示部４３（図４参照）及び操作ボタンなどが設けられている。
【００２３】
図３に示すように、レンズ鏡筒１２は、レンズ鏡筒本体２１、撮影光学系２２、フォーカスリング２３、絞り操作リング２４、センサ２５，２６（図４参照）、クリックストップ機構２７，２８（図６参照）、レンズマウント２９及びレンズ側信号接点３０などを備える。レンズ鏡筒本体２１は、円筒形状で内部に撮影光学系２２を収納し、後端にレンズマウント２９が設けられている。撮影光学系２２は、レンズ鏡筒１２がカメラ本体１１に接続された場合、固体撮像素子２０に被写体光を結像する。固体撮像素子２０は、レンズ鏡筒１２から射出された光を撮像する撮像部である。
【００２４】
レンズマウント２９は、カメラ本体１１のマウント１７に着脱自在に結合される。レンズ側信号接点３０は、レンズ鏡筒１２のレンズマウント２９がカメラ本体１１のマウントに結合された際にボディ側信号接点１９と接触し、レンズ鏡筒１２とカメラ本体１１とを電気的に接続する。
【００２５】
図４に示すように、レンズ鏡筒１２は、撮影光学系２２、フォーカスリング２３、絞り操作リング２４、センサ２５，２６などの他、レンズ制御部３１、モータドライバ３２，モータ３３，３４などを備える。
【００２６】
レンズ制御部３１は、ＣＰＵ（Central Processing Unit）と、このＣＰＵで使用されるプログラムやパラメータを記憶したＲＯＭ（Read Only Memory）と、ＣＰＵのワークメモリとして使用されるＲＡＭ（Random Access Memory）（いずれも図示せず）などを備えたマイクロコンピュータからなる。レンズ制御部３１は、レンズ鏡筒１２の各部を制御する。レンズ制御部３１には、センサ２５，２６及びモータドライバ３２が接続されている。
【００２７】
撮影光学系２２は、フォーカスレンズ３５を含む複数のレンズ、絞りユニット３６などを備える。フォーカスレンズ３５は、モータ３３の駆動により光軸Ｌの方向に移動し、撮影距離を調節する。絞りユニット３６は、モータ３４の駆動により複数枚の絞り羽根３６ａを移動させ、固体撮像素子２０への入射光量を変化させる。モータドライバ３２は、レンズ制御部３１の制御に基づき、モータ３３，３４の駆動を制御する。
【００２８】
フォーカスリング２３は、ユーザーが手動で回転操作して焦点調節を行うための操作部材である。フォーカスリング２３は、レンズ鏡筒本体２１に対して、撮影光学系２２の光軸Ｌを中心として回転可能に取り付けられている。
【００２９】
センサ２５は、フォーカスリング２３の回転方向及び回転量を検出する。センサ２５は、例えば、フォーカスリング２３の内周面に設けられた櫛歯リング（図示せず）と、検出信号を出力する光学センサ（図示せず）とから構成される。センサ２５からの検出信号は、レンズ制御部３１に出力される。レンズ制御部３１は、センサ２５から入力される検出信号に基づいてフォーカスリング２３の回転方向及び回転量を検出する。レンズ制御部３１が検出したフォーカスリング２３の回転方向及び回転量の情報は、レンズ側信号接点３０及びボディ側信号接点１９を介してカメラ本体１１側の本体制御部３７に出力される。
【００３０】
絞り操作リング２４は、ユーザーが手動で回転操作して絞り調節を行うための操作部材である。絞り操作リング２４は、レンズ鏡筒本体２１に対して，撮影光学系２２の光軸Ｌを中心として回転可能に取り付けられている。
【００３１】
センサ２６は、例えば、絞り操作リング２４の回転位置を検出するポジションセンサである。センサ２６からの検出信号は、センサ２５からの検出信号と同様に、レンズ制御部３１に出力される。レンズ制御部３１は、センサ２６から入力される検出信号に基づいて絞り操作リング２４の回転位置を検出する。レンズ制御部３１が検出した絞り操作リング２４の回転位置の情報は、レンズ側信号接点３０及びボディ側信号接点１９を介してカメラ本体１１側の本体制御部３７に出力される。
【００３２】
本体制御部３７は、ＣＰＵと、このＣＰＵで使用されるプログラムやパラメータを記憶したＲＯＭと、ＣＰＵのワークメモリとして使用されるＲＡＭ（いずれも図示せず）などを備えている。本体制御部３７は、カメラ本体１１と、カメラ本体１１に接続されたレンズ鏡筒１２の各部を制御する。本体制御部３７には、レリーズスイッチ１４からＳ１信号及びＳ２信号が入力される。また、本体制御部３７には、ボディ側信号接点１９が接続されている。
【００３３】
シャッタユニット３８は、いわゆるフォーカルプレーンシャッターであり、マウント１７と固体撮像素子２０との間に配置されている。シャッタユニット３８は、撮影光学系２２と固体撮像素子２０との間の光路を遮断可能に設けられており、開口状態と閉口状態との間で変化する。シャッタユニット３８は、ライブビュー画像及び動画撮影時に開口状態とされる。シャッタユニット３８は、静止画撮影時には、開口状態から一時的に閉口状態になる。このシャッタユニット３８は、シャッタモータ４７により駆動される。モータドライバ３９は、シャッタモータ４７の駆動を制御する。
【００３４】
固体撮像素子２０は、本体制御部３７により駆動制御される。固体撮像素子２０は、例えば、ＣＭＯＳ型イメージセンサであり、２次元マトリクス状に配列された複数の画素（図示せず）により構成された受光面を有している。各画素は、光電変換素子を含んでおり、レンズ鏡筒１２により受光面に結像された被写体像を光電変換して撮像信号を生成する。
【００３５】
また、固体撮像素子２０は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して固体撮像素子２０からバスライン４５に出力する。固体撮像素子２０の出力信号は、画素ごとに１つの色信号を有する画像データ（いわゆるＲＡＷデータ）である。
【００３６】
画像メモリ４０は、バスライン４５に出力された１フレーム分の画像データを格納する。画像データ処理部４１は、画像メモリ４０から１フレーム分の画像データを読み出し、マトリクス演算、デモザイク処理、γ補正、輝度・色差変換、リサイズ処理などの公知の画像処理を施す。
【００３７】
ＬＣＤドライバ４２は、画像データ処理部４１で画像処理された１フレーム分の画像データを順次に画像表示部４３に入力する。画像表示部４３は、ライブビュー画像を一定の周期で順次に表示する。カードＩ／Ｆ４４は、カメラ本体１１に設けられたカードスロット（図示せず）内に組み込まれており、カードスロットに挿入されたメモリカード４６と電気的に接続する。カードＩ／Ｆ４４は、画像データ処理部４１で画像処理された画像データをメモリカード４６に格納する。また、メモリカード４６に格納されている画像データを再生表示する際には、カードＩ／Ｆ４４は、メモリカード４６から画像データを読み出す。
【００３８】
本体制御部３７は、レンズ制御部３１が検出するフォーカスリング２３の回転方向及び回転量の情報に応じてフォーカスレンズ３５を移動させる制御信号をレンズ制御部３１に送信する。レンズ制御部３１は、制御信号に基づいてモータドライバ３２を制御し、フォーカスレンズ３５を移動させる。
【００３９】
絞り操作リング２４の回転位置に応じて変更される絞りユニット３６の絞り径は、ＡＶ値が所定の整数値となる主系列の絞り値と、ＡＶ値が所定の分数値となる副系列の絞り値とに対応している。本実施形態では、図５に示すように、主系列の絞り値が対応するＡＶ値は、「２、３、４、５、６、７、８」の７個の整数値である。
【００４０】
副系列の絞り値は、主系列の範囲内で、ＡＶ値がｎ／３（ｎは３の倍数を除く正の整数）となる値である。本実施形態の場合、副系列の絞り値に対応するＡＶ値は、「７／３、８／３、１０／３、１１／３、１３／３、１４／３、１６／３、１７／３、１９／３、２０／３、２２／３、２３／３」の１２個の分数値である。
【００４１】
また、Ｆ値は、ＡＶ値と、「ＡＶ＝２ｌｏｇ2Ｆ」の関係にあることから、主系列の絞り値（Ｆ値）は、それぞれ「２、２．８、４、５．６、８、１１、１６」に対応する。副系列の絞り値（Ｆ値）は、それぞれ「２．２、２．５、３．２、３．６、４．５、５、６．４、７．１、９、１０、１３、１４」に対応する。
【００４２】
以上のように、本実施形態の撮影光学系２２では、絞りユニット３６の絞り径が変更されることによって、主系列と副系列とを合わせて１９個の絞り値（主系列が７個、副系列が１２個）に設定可能となっている。
【００４３】
絞り操作リング２４は、絞り値が主系列（ＡＶ値が所定の整数値）となる複数の第１回転位置と、絞り値が副系列（ＡＶ値が所定の分数値）となる複数の第２回転位置とに設定可能である。本実施形態では、７個の第１回転位置と、１２個の第２回転位置とが存在する。
【００４４】
また、絞り操作リング２４の回転位置には、絞り値に対応する第１及び第２回転位置の他、露出モードを自動露出モードに設定するための回転位置（以下、第３回転位置という）がある。
【００４５】
本体制御部３７は、レンズ制御部３１が検出する絞り操作リング２４の回転位置の情報に応じて絞りユニット３６を動作させ、絞り径を変更するための制御信号をレンズ制御部３１に送信する。レンズ制御部３１は、本体制御部３７からの制御信号に基づいてモータドライバ３２を制御し、絞り操作リング２４の回転位置に対応する絞り値が得られるように絞りユニット３６の絞り径を制御する。また、本体制御部３７は、レンズ制御部３１が検出する絞り操作リング２４の回転位置が第３回転位置とされた場合には、自動露出モードを実行する。
【００４６】
ＡＥ処理部４８は、１フレーム分の画像データから、各色信号の積算値を算出する。本体制御部３７は、自動露出モードの場合に、１フレーム分の画像ごとに算出される積算値に基づき露出値を算出し、この露出値から所定のプログラム線図に従って、シャッタ速度及び絞り値を決定し、シャッタユニット３８及び絞りユニット３６の自動制御を行う。すなわち、本体制御部３７は、決定したシャッタ速度が得られるようにシャッタモータ４７の駆動を制御するとともに、制御信号をレンズ制御部３１に送信する。レンズ制御部３１は、制御信号に基づいてモータドライバ３２を制御し、決定した絞り値が得られる絞り径に絞りユニット３６を動作させる。
【００４７】
図６及び図７に示すように、絞り操作リング２４は、操作リング本体５１と、スリット板５２とを備える。スリット板５２は、円環状の薄板である。スリット板５２は、操作リング本体５１の内周面側において、レンズ鏡筒本体２１の筒心軸と直交に配され、操作リング本体５１に固定（例えばネジ止め）されている。
【００４８】
スリット板５２は、先端側の第１面５２Ａがレンズ鏡筒本体２１の筒心軸と直交する。レンズ鏡筒本体２１は、筒心軸と直交し、第１面５２Ａと対向する第２面２１Ａを有する。
【００４９】
操作リング本体５１は、円環状であり、先端側に向かって外径が減少したテーパー面５１Ａを有する。テーパー面５１Ａには、主系列の絞り値を表す絞り値目盛５３が付されている。一方、レンズ鏡筒本体２１には、指標５４が付されている。絞り値目盛５３は、絞り操作リング２４の周方向に沿って配置されている。具体的には、絞り値目盛５３として、主系列の絞り値（Ｆ値）である「２、２．８、４、５．６、８、１１、１６」の値が順に配列されている。指標５４は、直線状の印であり、絞り操作リング２４の先端部分と接する位置に配されている。
【００５０】
絞り操作リング２４は、指標５４に、絞り値目盛５３のいずれかの値を合わせることにより第１回転位置となる。これにより、絞りユニット３６を、絞り値目盛５３に対応する主系列の絞り値に設定可能である。絞り操作リング２４が第１回転位置に設定された場合には、本体制御部３７は、レンズ制御部３１が検出する絞り操作リング２４の回転位置の情報に応じて、絞り値目盛５３に対応する絞り値が得られる絞り径に絞りユニット３６を動作させる。
【００５１】
また、絞り操作リング２４は、指標５４に、絞り値目盛５３の隣接する２つの値の間の所定の位置（間隔を３等分したいずれかの位置）に合わせることにより第２回転位置となる。これにより、絞りユニット３６を、副系列の絞り値に設定可能である。絞り操作リング２４が第２回転位置にされた場合、本体制御部３７は、レンズ制御部３１が検出する絞り操作リング２４の回転位置の情報に応じて、副系列の絞り値が得られる絞り径に絞りユニット３６を動作させる。
【００５２】
また、絞り操作リング２４には、周方向において、絞り値目盛５３の外側、本実施形態では「１６」の値の外側に、「Ａ」のマーク５５が付されている。このマーク５５は、前述の第３回転位置に対応する。絞り操作リング２４は、指標５４に、マーク５５を合わせることよって、露出モードをマニュアル露出モードから自動露出モードに設定可能である。
【００５３】
クリックストップ機構２７は、第１球体６０と、第１嵌合部６１と、第１付勢部材６２とで構成されている。第１球体６０は、スリット板５２と、レンズ鏡筒本体２１との間に配置されている。具体的には、スリット板５２の第１面５２Ａと、レンズ鏡筒本体２１の第２面２１Ａとの間に配置されている。
【００５４】
レンズ鏡筒本体２１には、第１球体６０及び第１付勢部材６２が取り付けられる取り付け部６３が設けられている。取り付け部６３は、スリット板５２と対面する位置に形成された凹部である。取り付け部６３には、レンズ鏡筒本体２１の先端側に第１付勢部材６２が、基端側に第１球体６０が配される。第１付勢部材６２は、例えばコイルバネが用いられ、第１球体６０をスリット板５２側に付勢する。
【００５５】
図８に示すように、第１嵌合部６１は、スリット板５２に複数形成されている。第１嵌合部６１は、長方形のスリットであり、絞り操作リング２４の周方向ＣＤにおける幅寸法Ｗ１よりも径方向における高さ寸法Ｈ１のほうが大きい。これにより、第１球体６０が第１嵌合部６１に嵌合する際、周方向ＣＤと直交する第１嵌合部６１の縁部と接触し、径方向と直交する縁部には接触しないため、ガタ付きを防ぐことができる。また、幅寸法Ｗ１よりも高さ寸法Ｈ１を大きくすることで、第１嵌合部６１の加工精度の向上を図ることができる。
【００５６】
第１嵌合部６１は、第１回転位置に対応して形成されており、絞り操作リング２４が各第１回転位置に設定された場合に、第１球体６０が嵌合する。上述したように、本実施形態では、７個の第１回転位置が存在するため、スリット板５２には、７個の第１嵌合部６１が形成されている。
【００５７】
第１球体６０は、スリット板５２の第１面５２Ａによって軸方向の位置が規制されている場合は、取り付け部６３の内部に位置する。第１球体６０は、絞り操作リング２４が各第１回転位置に設定された場合に、第１付勢部材６２の付勢によって取り付け部６３の基端側に突出して、第１嵌合部６１と嵌合する。そして、第１球体６０と第１嵌合部６１とが嵌合する際に、第１球体６０と第１嵌合部６１の縁部が衝突して振動が生じる。
【００５８】
クリックストップ機構２８は、第２球体６５と、第２嵌合部６６と、第２付勢部材６７で構成されている。第２球体６５は、スリット板５２と、レンズ鏡筒本体２１との間に配置されている。第２球体６５は、絞り操作リング２４の周方向において第１球体６０とは互いに異なる位置に配されている。第１球体６０の外径Ｒ１は、第２球体６５の外径Ｒ２よりも大きい（図９及び図１０参照）。第２球体６５は、第１球体６０と同様に、スリット板５２の第１面５２Ａと、レンズ鏡筒本体２１の第２面２１Ａとの間に配置されている。
【００５９】
レンズ鏡筒本体２１には、第２球体６５及び第２付勢部材６７が取り付けられる取り付け部６８が設けられている。取り付け部６８は、取り付け部６３とは絞り操作リング２４の周方向において異なる位置に形成された凹部である。取り付け部６８には、レンズ鏡筒本体２１の先端側に第２付勢部材６７が、基端側に第２球体６５が配される。第２付勢部材６７は、例えばコイルバネが用いられ、第２球体６５をスリット板５２側に付勢する。なお。第１付勢部材６２の付勢力は、第２付勢部材６７の付勢力よりも大きい。
【００６０】
第２嵌合部６６は、スリット板５２に複数形成されている。第２嵌合部６６は、長方形のスリットであり、絞り操作リング２４の周方向ＣＤにおける幅寸法Ｗ２よりも径方向における高さ寸法Ｈ２のほうが大きい。これにより、第１嵌合部６１と同様に、第２球体６５が第２嵌合部６６に嵌合する際のガタ付きを防ぎ、加工精度の向上を図ることができる。第２嵌合部６６は、副系列の絞り値に設定可能な各第２回転位置に対応して形成されており、絞り操作リング２４が各第２回転位置に設定された場合に、第２球体６５が嵌合する。上述したように、本実施形態では、１２個の第２回転位置が存在するため、スリット板５２には、１２個の第２嵌合部６６が形成されている。
【００６１】
第２球体６５は、スリット板５２の第１面５２Ａによって軸方向の位置が規制されている場合は、取り付け部６８の内部に位置する。第２球体６５は、絞り操作リング２４が各第２回転位置に設定された場合に、第２付勢部材６７の付勢によって取り付け部６８の基端側に突出して、第２嵌合部６６と嵌合する。そして、第２球体６５と第２嵌合部６６とが嵌合する際に、第２球体６５と第２嵌合部６６の縁部が衝突して振動が生じる。
【００６２】
スリット板５２は、絞り操作リング２４の周方向ＣＤにおいて、第１嵌合部６１の幅寸法Ｗ１が、第２嵌合部６６の幅寸法Ｗ２よりも大きい。上述したように、第１球体６０の外径Ｒ１は、第２球体６５の外径Ｒ２よりも大きい。特に、第１球体６０の外径Ｒ１に対する第１嵌合部６１の幅寸法Ｗの割合と、第２球体６５の外径Ｒ２に対する第２嵌合部６６の幅寸法Ｗ２とがほぼ同じである。したがって、第１球体６０の全体積中に占める第１嵌合部６１に嵌合する部分の割合と、第２球体６５の全体積中に占める第２嵌合部６６に嵌合する部分の割合とがほぼ同一であるので、第１球体６０に対する第１嵌合部６１のホールド性と、第２球体６５に対する第２嵌合部６６のホールド性とはほぼ同一である。なお、本実施形態では、第１嵌合部６１の高さ寸法Ｈ１と、第２嵌合部６６の高さ寸法Ｈ２とは同じである。
【００６３】
また、第１球体６０と第１嵌合部６１との嵌合量Ｄ１（図９参照）は、第２球体６５と第２嵌合部６６との嵌合量Ｄ２（図１０参照）よりも大きい。ここで、嵌合量Ｄ１とは、スリット板５２の第１面５２Ａからの第１球体６０の落ち込み量であり、具体的には、第１面５２Ａから、第１嵌合部６１に嵌合した第１球体６０の体積を表す。同様に、嵌合量Ｄ２とは、スリット板５２の第１面５２Ａからの第２球体６５の落ち込み量であり、具体的には、第１面５２Ａから、第２嵌合部６６に嵌合した第２球体６５の体積を表す。
【００６４】
また、スリット板５２には、第３嵌合部６９及び第４嵌合部７０が形成されている。第３嵌合部６９及び第４嵌合部７０は、第１嵌合部６１及び第２嵌合部６６とは、周方向ＣＤにおいて異なる位置に設けられている。第３嵌合部６９は、第３回転位置に対応して形成されており、絞り操作リング２４が第３回転位置に設定された場合に、第１球体６０が嵌合する。第４嵌合部７０は、第３嵌合部６９と同様に第３回転位置に対応して形成されており、絞り操作リング２４が第３回転位置に設定された場合に、第２球体６５が嵌合する。第３嵌合部６９及び第４嵌合部７０は、長方形のスリットであり、周方向ＣＤにおける幅寸法及び径方向における高さ寸法が、第１嵌合部６１の幅寸法及び高さ寸法と同じである。
【００６５】
以下、カメラ１０の動作について説明する。先ず、ユーザーにより電源レバー１３が操作されて電源がオン状態になるとカメラ１０の各部に電源電圧が供給される。操作ボタン（図示せず）などが操作されて、撮影モードが選択されると、レンズ制御部３１は、センサ２６の検出信号から絞り操作リング２４の回転位置を検出して本体制御部３７に出力する。指標５４の位置にマーク５５が位置する場合には、本体制御部３７は、絞り操作リング２４が第３回転位置にあると判定して、自動露出モードの開始をＡＥ処理部４８などに指示する。
【００６６】
自動露出モードが開始されると、本体制御部３７は、レリーズスイッチ１４の半押し操作によりＳ１オン信号が入力された場合に、ＡＥ処理部４８で算出される積算値に基づき、シャッタ速度及び絞り値を決定し、シャッタモータ４７の駆動を制御するとともに、レンズ制御部３１を介して、決定した絞り値が得られる絞り径に絞りユニット３６を動作させる。
【００６７】
一方、指標５４の位置に絞り値目盛５３が位置する場合には、検出信号として絞り値（主系列または副系列）を示す信号が得られる。本体制御部３７は、レンズ制御部３１を介して、検出信号が示す絞り値が得られるように絞りユニット３６の絞り径を制御する。
【００６８】
ユーザーは、絞り操作リング２４を回転操作する際に、絞り値目盛５３を目視することなく、絞り操作リング２４を通じて得られるクリック感によって、絞り値の設定を行うことができる。
【００６９】
クリック感は、絞り操作リング２４が第１回転位置となって第１球体６０と第１嵌合部６１とが嵌合する際、及び絞り操作リング２４が第２回転位置となって第２球体６５と第２嵌合部６６とが嵌合する際に生じる振動に起因する。本実施形態では、第１球体６０及び第１嵌合部６１の大きさが、第２球体６５及び第２嵌合部６６の大きさより大きいので、第１回転位置で得られるクリック感の方が、第２回転位置で得られるクリック感よりも大きい。したがって、主系列に対応する第１回転位置と、副系列に対応する第２回転位置とで、明確に異なるクリック感が付与される。なお、ここでいう大きさとは絞り操作リングの周方向における寸法のことである。ユーザーは、クリック感の差異により、絞り操作リング２４の回転操作により設定される絞り値が、主系列であるか副系列であるかを識別することができる。
【００７０】
また、第１嵌合部６１の幅寸法Ｗ１が、第２嵌合部６６の幅寸法Ｗ２よりも大きく形成されるとともに、第１球体６０の外径Ｒ１が第２球体６５の外径Ｒ２よりも大きく形成されていることから、第２回転位置では、第１回転位置よりもクリック感が減少する反面、ホールド性は、第１回転位置と同等に維持される。したがって、ユーザーが、絞り操作リング２４を副系列に対応する第２回転位置に合わせる際に、絞り操作リング２４に加わる小さな力量で第２球体６５が第２嵌合部６６から脱することを防止することができる。
【００７１】
また、第１球体６０を付勢する第１付勢部材６２、第２球体６５を付勢する第２付勢部材６７をそれぞれ設けているので、第１球体６０、第２球体６５を付勢する付勢力をそれぞれ調整することにより、クリック感やホールド性を最適化することができる。
【００７２】
さらに、絞り操作リング２４が第３回転位置に回転操作された場合に、第１球体６０及び第２球体６５がそれぞれ第３嵌合部６９及び第４嵌合部７０に同時に嵌合し、第１球体６０及び第２球体６５の両方が同時に振動を生じさせるため、第１及び第２回転位置よりも大きなクリック感及びホールド性が得られる。ユーザーは、このクリック感を通じて、絞り操作リング２４が、自動露出モードに対応する第３回転位置に設定されたことを認識することができる。また、第３回転位置で大きなホールド性が得られることから、露出モードが自動露出モードからマニュアル露出モードに不用意に変更されることを防止することができる。
【００７３】
上記第１実施形態では、第１〜第４嵌合部は、スリット板５２を貫通するスリットであるが、これに限らず第１面５２Ａから凹となる凹部でもよい。また、上記第１実施形態では、第１〜第４嵌合部は、矩形の断面形状を有するが、これに限らず、第１球体６０及び第２球体６５が嵌合可能な形状であればよく、例えば三角形の断面形状や、矩形の端縁を面取りした断面形状などでもよい。
【００７４】
上記第１実施形態では、レンズ鏡筒本体２１の筒心軸と直交する第１面５２Ａに第１及び第２嵌合部を形成し、第１面５２Ａと対向する第２面２１Ａとの間に第１球体６０及び第２球体６５を配置しているが、本発明はこれに限られない。例えば、図１１に示すように、絞り操作リング２４の内周面を第１面５２Ｂとし、レンズ鏡筒本体２１の外周面を、第１面５２Ｂと対向する第２面２１Ｂとしてもよい。この場合、第１面５２Ｂに第１嵌合部６１及び第２嵌合部６６を形成し、第１面５２Ｂと第２面２１Ｂとの間に第１球体６０及び第２球体６５を配置する。また、第１付勢部材６２及び第２付勢部材６７として例えば板バネを用い、第１球体６０及び第２球体６５を絞り操作リング２４側へ付勢する。さらに、第１面５２Ｂに、第３嵌合部６９及び第４嵌合部７０を設けてもよい。
【００７５】
上記各実施形態では、絞り操作リング２４に設けられた第１面５２Ａ、５２Ｂに第１及び第２嵌合部が形成されているが、これとは逆に、レンズ鏡筒本体２１に設けられた第２面２１Ａ、２１Ｂに第１及び第２嵌合部を形成する構成でもよい。また、この場合、絞り操作リング２４に第１付勢部材６２及び第２付勢部材６７を設けることが好ましい。
【００７６】
上記各実施形態では、第３嵌合部６９と第４嵌合部７０とを設けているが、これに限らず、第４嵌合部７０を設けず、第３嵌合部６９のみとしてもよい。この場合、第３嵌合部６９は、絞り操作リング２４の周方向において、第１及び第２嵌合部とは異なる幅寸法に形成することが好ましい。これにより、第３回転位置では、第１及び第２回転位置とは異なるクリック感が得られる。
【００７７】
上記各実施形態では、ミラーレス一眼タイプのデジタルカメラを例に説明したが、一眼レフタイプのデジタルカメラなどその他のレンズ交換型デジタルカメラにも適用することができる。また、上記各実施形態のデジタルカメラでは、カメラ本体とレンズ鏡筒とを別体とし、両者を着脱自在とする構成としているが、本発明はこれに限らず、カメラ本体とレンズ鏡筒とを一体に設けた撮影装置としてもよい。
【符号の説明】
【００７８】
１０  レンズ交換式デジタルカメラ
１１  カメラ本体
１２  レンズ鏡筒
２１  レンズ鏡筒本体
２１Ａ  第２面
２２  撮影光学系
２４  絞り操作リング
５２Ａ  第１面
６０  第１球体
６１  第１嵌合部
６２  第１付勢部材
６５  第２球体
６６  第２嵌合部
６７  第２付勢部材
６９  第３嵌合部
７０  第４嵌合部
【図１】
2017047592.tif 000003
【図２】
2017047592.tif 000004
【図３】
2017047592.tif 000005
【図４】
2017047592.tif 000006
【図５】
2017047592.tif 000007
【図６】
2017047592.tif 000008
【図７】
2017047592.tif 000009
【図８】
2017047592.tif 000010
【図９】
2017047592.tif 000011
【図１０】
2017047592.tif 000012
【図１１】
2017047592.tif 000013
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
絞りを収納するレンズ鏡筒本体と、
前記レンズ鏡筒本体に対して回転可能に取り付けられ、前記絞りのＡＶ値が所定の整数値となる複数の第１回転位置と、前記ＡＶ値が所定の分数値となる複数の第２回転位置とに設定可能である絞り操作リングと、
前記レンズ鏡筒本体と前記絞り操作リングとの間に設けられ、前記絞り操作リングの周方向において互いに異なる位置に配された第１及び第２球体と、
前記レンズ鏡筒本体及び前記絞り操作リングの一方に前記各第１回転位置に対応して形成され、前記絞り操作リングが前記各第１回転位置に設定された場合に、前記第１球体が嵌合する第１嵌合部と、
前記レンズ鏡筒本体及び前記絞り操作リングの一方に前記各第２回転位置に対応して形成され、前記絞り操作リングが前記各第２回転位置に設定された場合に、前記第２球体が嵌合する第２嵌合部と、
を備え、
前記第１嵌合部に対する前記第１球体の嵌合量は、前記第２嵌合部に対する前記第２球体の嵌合量よりも大きいレンズ鏡筒。
【請求項２】
（削除）
【請求項３】
（削除）
【請求項４】
前記絞り操作リングの周方向において、前記第１嵌合部の寸法が、前記第２嵌合部の寸法よりも大きい請求項１記載のレンズ鏡筒。
【請求項５】
（削除）
【請求項６】
（削除）
【請求項７】
（削除）
【請求項８】
前記絞り操作リングは、前記レンズ鏡筒本体の筒心軸と直交する第１面を有し、
前記レンズ鏡筒本体は、前記筒心軸と直交し、前記第１面と対向する第２面を有し、
前記第１及び第２球体は、前記第１面と前記第２面との間に配置されており、
前記第１及び第２嵌合部は、前記第１及び第２面のいずれか一方に形成されている請求項１または４記載のレンズ鏡筒。
【請求項９】
（削除）
【請求項１０】
前記絞り操作リングは、前記絞りの自動制御を行う自動露出モードに対応する第３回転位置に設定可能であり、
前記レンズ鏡筒本体及び前記絞り操作リングの一方に形成され、前記絞り操作リングが前記第３回転位置に設定された場合に、前記第１球体が嵌合する第３嵌合部と、
前記レンズ鏡筒本体及び前記絞り操作リングの一方に形成され、前記絞り操作リングが前記第３回転位置に設定された場合に、前記第２球体が嵌合する第４嵌合部とを備える請求項１，４，８いずれか１項記載のレンズ鏡筒。
【請求項１１】
請求項１，４，８，１０いずれか１項記載のレンズ鏡筒を有する撮影装置。
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
絞りを収納するレンズ鏡筒本体と、
前記レンズ鏡筒本体に対して回転可能に取り付けられ、前記絞りのＡＶ値が所定の整数値となる複数の第１回転位置と、前記ＡＶ値が所定の分数値となる複数の第２回転位置とに設定可能である絞り操作リングと、
前記レンズ鏡筒本体と前記絞り操作リングとの間に設けられ、前記絞り操作リングの周方向において互いに異なる位置に配された第１及び第２球体と、
前記レンズ鏡筒本体及び前記絞り操作リングの一方に前記各第１回転位置に対応して形成され、前記絞り操作リングが前記各第１回転位置に設定された場合に、前記第１球体が嵌合する第１嵌合部と、
前記レンズ鏡筒本体及び前記絞り操作リングの一方に前記各第２回転位置に対応して形成され、前記絞り操作リングが前記各第２回転位置に設定された場合に、前記第２球体が嵌合する第２嵌合部と、
を備え、
前記第１嵌合部に対する前記第１球体の嵌合量は、前記第２嵌合部に対する前記第２球体の嵌合量よりも大きく、
前記第１球体の全体積中に占める前記第１嵌合部に嵌合する部分の割合と、前記第２球体の全体積中に占める前記第２嵌合部に嵌合する部分の割合とがほぼ同一とするレンズ鏡筒。
【請求項２】
前記絞り操作リングの周方向において、前記第１嵌合部の寸法が、前記第２嵌合部の寸法よりも大きい請求項１記載のレンズ鏡筒。
【請求項３】
前記絞り操作リングは、前記レンズ鏡筒本体の筒心軸と直交する第１面を有し、
前記レンズ鏡筒本体は、前記筒心軸と直交し、前記第１面と対向する第２面を有し、
前記第１及び第２球体は、前記第１面と前記第２面との間に配置されており、
前記第１及び第２嵌合部は、前記第１及び第２面のいずれか一方に形成されている請求項１または２記載のレンズ鏡筒。
【請求項４】
前記絞り操作リングは、前記絞りの自動制御を行う自動露出モードに対応する第３回転位置に設定可能であり、
前記レンズ鏡筒本体及び前記絞り操作リングの一方に形成され、前記絞り操作リングが前記第３回転位置に設定された場合に、前記第１球体が嵌合する第３嵌合部と、
前記レンズ鏡筒本体及び前記絞り操作リングの一方に形成され、前記絞り操作リングが前記第３回転位置に設定された場合に、前記第２球体が嵌合する第４嵌合部とを備える請求項１ないし３のいずれか１項記載のレンズ鏡筒。
【請求項５】
請求項１ないし４のいずれか１項記載のレンズ鏡筒を有する撮影装置。
【手続補正２】
【補正対象書類名】明細書
【補正対象項目名】００１０
【補正方法】変更
【補正の内容】
【００１０】
本発明のレンズ鏡筒は、レンズ鏡筒本体と、絞り操作リングと、第１及び第２球体と、第１嵌合部と、第２嵌合部とを備え、第１嵌合部に対する第１球体の嵌合量は、第２嵌合部に対する第２球体の嵌合量よりも大きく、第１球体の全体積中に占める第１嵌合部に嵌合する部分の割合と、第２球体の全体積中に占める第２嵌合部に嵌合する部分の割合とがほぼ同一とする。レンズ鏡筒本体は、絞りを収納する。絞り操作リングは、レンズ鏡筒本体に対して回転可能に取り付けられ、絞りのＡＶ値が所定の整数値となる複数の第１回転位置と、ＡＶ値が所定の分数値となる複数の第２回転位置とに設定可能である。第１及び第２球体は、レンズ鏡筒本体と絞り操作リングとの間に設けられ、絞り操作リングの周方向において互いに異なる位置に配されている。第１嵌合部は、レンズ鏡筒本体及び絞り操作リングの一方に各第１回転位置に対応して形成され、絞り操作リングが各第１回転位置に設定された場合に、第１球体が嵌合する。第２嵌合部は、レンズ鏡筒本体及び絞り操作リングの一方に各第２回転位置に対応して形成され、絞り操作リングが各第２回転位置に設定された場合に、第２球体が嵌合する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
絞り操作リングの周方向において、第１嵌合部の寸法が、第２嵌合部の寸法よりも大きいことが好ましい。
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】削除
【補正の内容】
【国際調査報告】
2017047592.tif 000014
2017047592.tif 000015
2017047592.tif 000016
2017047592.tif 000017